(57)【特許請求の範囲】
【請求項１】
所定のエネルギーの粒子ビームを照射対象物に照射するための放射線治療システムであって、
粒子ビームを供給するように構成された静止粒子加速器と、
第１の方向に沿って前記粒子ビームを方向付けるよう操作可能に前記静止粒子加速器と連結されたビームラインアッセンブリーと、
前記粒子ビームのエネルギーを減らすために操作可能なエネルギー減衰器と、
前記ビームラインアッセンブリーに連結された旋回構台アッセンブリーであって、
制御可能な磁場を持つ双極子磁石のセットと前記双極子磁石のセットの間に置かれた視準器と、を備える旋回構台アッセンブリーと
を備え、
前記視準器と組み合わされた前記双極子磁石のセットが、前記照射対象物に照射するための前記所定のエネルギーにより前記粒子ビームの部分を選択し、第２の方向に前記粒子ビームの前記部分を再度方向付けるように操作可能である放射線治療システム。
【請求項２】
前記旋回構台アッセンブリーは、前記第１の方向の周りに実質的に３６０度旋回させるために操作可能であり、そして前記ビームラインアッセンブリーは、四極子磁石と操縦磁石、ビームモニタを備える請求項１に記載の放射線治療システム。
【請求項３】
前記エネルギー減衰器は、前記ビームラインアッセンブリーに配置され、そして周囲気圧に晒されている炭素くさび減衰器を備える、請求項１に記載の放射線治療システム。
【請求項４】
前記静止粒子加速器は、超伝導のサイクロトロンを有し、そして２５０ＭｅＶの前記粒子ビームを供給することを操作可能とする請求項１に記載の放射線治療システム。
【請求項５】
前記粒子ビームは、陽子、中性子、Ｈｅイオン、及びＣイオンからなる群から選択される粒子を有する請求項１に記載の放射線治療システム。
【請求項６】
前記双極子磁石のセットは、実質的に９０度による前記粒子ビームの前記部分を集合的に再方向付けるように操作可能である請求項１に記載の放射線治療システム。
【請求項７】
前記旋回構台アッセンブリーは、案内するために操作可能なノズルを有し、アイソセンターへ向かう前記粒子ビームの前記部分の放射を制御し、さらに前記ノズルが３次元で走査するように構成されている請求項１に記載の放射線治療システム。
【請求項８】
前記旋回構台アッセンブリーは、高Ｚ素材で作られた第１の部材と低Ｚ素材で作られた第２の部材からなる外部のハウジングを有する請求項１に記載の放射線治療システム。
【請求項９】
前記ビームラインアッセンブリーは、回転セグメントと静止セグメントを有し、それぞれのセグメントは個々の真空装置と連結し、そして回転セグメントは、周囲気圧に晒される中間的なセグメントにより前記静止セグメントから隔離されている請求項１に記載の放射線治療システム。
【請求項１０】
単一の処理ステーションに放射線粒子ビームを供給するのに適切な重粒子放射線治療システムであって、
粒子ビームを供給するために構成された粒子加速器と、
前記粒子加速器と連結され、そして、旋回構台アッセンブリーに前記粒子ビームの方向づけをするように操作可能なビームラインアッセンブリーと、
周囲気圧に晒され、そして、前記粒子ビームのエネルギーを減衰するよう操作可能なエネルギー減衰器と、を有し、
前記旋回構台アッセンブリーは、前記ビームラインアッセンブリーに連結され、制御可能な磁場での双極子磁石のセットと、ビーム視準器とを含み、前記ビーム視準器と組み合わされた前記双極子磁石のセットが、所定のエネルギーによる前記粒子ビームの部分を選択し、第２の方向に前記粒子ビームの前記部分を再方向付けるように構成されている重粒子放射線治療システム。
【請求項１１】
前記双極子磁石のセットは、実質的に９０度、前記粒子ビームによる前記部分を集合的に曲げることが操作可能である請求項１０に記載の重粒子放射線治療システム。
【請求項１２】
前記ビームラインアッセンブリーは、双極子磁石を有しない請求項１０に記載の重粒子放射線治療システム。
【請求項１３】
前記ビーム視準器は、エネルギー選択スリットを有し、前記双極子磁石のセットの間に置かれている請求項１０に記載の重粒子放射線治療システム。
【請求項１４】
前記粒子加速器は、操作中に静止を維持する請求項１０に記載の重粒子放射線治療システム。
【請求項１５】
前記エネルギー減衰器は、前記旋回構台アッセンブリー内に配置されている請求項１０に記載の重粒子放射線治療システム。
【請求項１６】
単一処理ステーションに、陽子ビーム放射線を供給するよう構成された陽子放射線治療システムであって、
陽子ソースに連結したサイクロトンと、
前記サイクロトンに連結し、旋回構台アッセンブリーに粒子ビームを方向づけるよう操作可能なビームラインアッセンブリーと、
陽子ビームのエネルギーを減衰するエネルギー減衰器と、を有し、
前記旋回構台アッセンブリーは、前記ビームラインアッセンブリーに連結され、
双極子磁石のセットと、ビーム視準器とを含み、前記ビーム視準器と組み合わされた前記双極子磁石のセットが、照射対象物に照射するための所定のエネルギーによる前記陽子ビームの部分を選択し、実質的に９０度、前記粒子ビームの前記部分を集合的に再方向付けるように操作可能である陽子放射線治療システム。
【請求項１７】
前記ビームラインアッセンブリーは、リニア軸に延在し、前記旋回構台アッセンブリーは、前記リニア軸周りに３６０度旋回する操作が可能な請求項１６に記載の陽子放射線治療システム。
【請求項１８】
前記エネルギー減衰器は、周囲気圧に晒されている請求項１６に記載の陽子放射線治療システム。
【請求項１９】
前記双極子磁石のセットは、順番に配置された４５度と１３５度の双極子磁石を有し、前記ビームラインアッセンブリーは、双極子磁石を備えず、前記ビームラインアッセンブリーは、さらに回転セグメントと静止セグメントを有し、前記回転セグメントと前記静止セグメントは、各々の真空システムに連結され、前記回転セグメントは、周囲気圧に晒されている中間セグメントによって前記静止セグメントから隔離されている請求項１６に記載の陽子放射線治療システム。
【発明の詳細な説明】
【技術分野】
【０００１】
本開示の実施形態は、一般的に医療装置に関し、より詳細には、放射線治療装置に関する。
【背景技術】
【０００２】
腫瘍の放射線治療のために使用される典型的な陽子治療システムにおいて、例えば、陽子ビームは、エネルギーの特定のレベルでサイクロトロンやシンクロトロンで生成され、それは、ビーム移送システムを介して、次に処理ステーションに供給されるエネルギーの選択により、所定のエネルギーレベルに調整される。このような治療システムは、特定のエネルギーレベルでの粒子ビームを提供するためのサイクロトロンまたはシンクロトロンなどの粒子加速器を含む。ビーム移送システムは、放射線ステーションに粒子ビームを供給し調整することができる。ビーム移送システムの最後に、放射線ノズルと連合した回転構台は、操作中に放射線ステーションで支持された固定位置の被放射対象物、例えば患者の腫瘍に、ビームを供給する。同様なシステムは、中性子、ＨｅまたはＣイオンビームなどを、他の重粒子放射線治療として使用することができる。
【０００３】
典型的に、加速器から出力するビームは、例えば、２５０ＭｅＶの固定エネルギーを有する。患者の状態の診断、例えば、処理される腫瘍の深さに応じて、種々の患者は、放射線の異なる深部線量で規定される。エネルギー選択システム（以下ＥＳＳという）は、通常、規定されたエネルギー、例えば、１７０ＭｅＶの固定されたエネルギーの調整に使用される。従来、ＥＳＳは、粗雑にビームエネルギーを減衰するエネルギー減衰器を有しており、エネルギー減衰器に起因する望まない横断放射、運動量拡散、及びエネルギー拡散をフィルタリングすることによる、精密なエネルギー選択を目的とするエネルギー選択双極子磁石のセットがそれに続く。移送システムは、また、ビームフォーカス及びステアリング目的のための他の複数の磁石を含む。
【０００４】
このような放射線システムの購入及び維持の高価格により、医療設備は、通常、複数の処理ステーションのために一つの加速器を使用し、そして加速器の施設の高額出費は、分散される。図１は、従来技術に関連した複数の処理ステーションの陽子ビームを供給する陽子放射線システム１００を備えた医療施設の構成を示している。システム１００は、専用室１１０に配置された静止サイクロトン１０１、ビームラインの真空コンポーネントに配置された炭素くさびエネルギー減衰器１０２、処理室１３１、１３２のための構台１２１、１２２、及びＥＳＳ、ビームをフォーカスする４端子磁石、例えば１０４のいくつかのセット、並びにサイクロトロンから各処理ルーム、例えば１３１、１３２に陽子ビームを方向付ける曲げ磁石のいくつかのセットを備えている。示されているように、このシステムのＥＳＳは、炭素くさび減衰器１０２、及び、間に置かれたエネルギースリット（図示されていない）を持つ２つの双極子磁石１０５、１０６で構成されている。双極子磁石１０５、１０６は、加速器１０１の近傍に配置され、対象エネルギーとともに粒子を選択的に通過するように貢献する。
【０００５】
加速器室１１０に関連した種々の場所に配置された異なる部屋に粒子ビームを供給するために、システム１００は、ビーム方向を変えるために双極磁石が使用される異なる通路に沿って、ロングビームライン、例えば１１１、１１２を備えている。例えば、双極１０７、１０８は、室１１０の中で粒子ビームを再び方向付けるために使用される。双極１４１は、構台１２１の入口において４５度にビームを曲げる。他の双極１４２は、アイソセンターに向かって１３５度にビームを曲げる。集合的に、構台の２つの双極子１４１、１４２は、ビームライン１１１から９０度にビームを曲げる。
【０００６】
マルチステーション単一サイクロトロンシステムは、大きな医療施設用にコストを配分することに効果的であるけれども、このようなマルチ構台システムの全体コストは、一つの処理ステーションのみ必要な、より小さい施設に対して法外に高くなるもしれない。また、あるマルチステーションシステムでは、マルチステーションで同時処理への支援がされない。これは、一つの処理ステーションでの遅延が他のステーションでの遅延を生じさせるという、さらなる欠点を引き起こす。従来の陽子放射線システムのコスト要因の中で、双極磁石は、生産、設置、制御、維持、及び医療施設で制限される貴重なスペースに関連した著しい出費となる。
【０００７】
さらに、固定サイクロトロンと回転構台とを接続したビームラインパイプは、構台に沿って回転することができる回転部分、及びサイクロトンに導く静止または無回転部分を有し、両方の部分は、典型的に１０Ｅ−０５ｍｂａｒレンジの連続低圧（真空）が維持されている。従来、回転バキュームシールは、ビームラインの静止部分と回転の間に外からシールされたパイプを保つビームラインの回転部分との間のビームラインコネクションで使用される。
【発明の概要】
【０００８】
従って、コストと規模を減らし、シングルルーム陽子治療施設にふさわしいコンパクトな陽子放射線システムを提供することが有利である。さらに、本開示の実施形態は、エネルギー選択と粒子ビームの再方向付けの２つの目的のために構台の上の双極磁石のセットを利用する放射線システムの提供の有利性を開示している。構台の上へのエネルギー選択磁石の統合によって、ビームラインの専門セクションよりも、コストの消費、及びスペースは、このシステムをコンパクトな単一室のデザインに合うようにすることで有利に減少される。本開示の実施形態はさらに、雰囲気中にエネルギー減衰器を設置し、ビームラインの固定部及び回転部間の接合部で真空シールを空気ギャップで置換することにより、陽子放射線システムを単純化する。
【０００９】
本開示の一実施形態において、所定エネルギーの粒子ビームによる放射対象物を放射する放射線治療システムは、静止粒子加速器、ビームラインアッセンブリー、エネルギー減衰器、及び旋回構台アッセンブリーを備える。ビームラインアッセンブリーは、第１の方向に沿って粒子ビームを方向付け焦点化する操作が可能である。エネルギー減衰器は、粒子ビームのエネルギーの減衰を操作可能とし、空気圧に晒される。旋回構台アッセンブリーは、双極磁石のセット、並びに追加の４極操舵磁石を有し、これらは制御可能な磁場を持ち、そして視準器は、双極子磁石の間に置かれている。双極磁石のセットは、所定エネルギーの粒子ビームの部分を選択することと、第２の方向に粒子ビームの部分を再方向付けすることが操作可能である。双極磁石のセットは、順番に配置された４５度と１３５度の磁石を有する。旋回構台は、第１の方向の周りの３６０度の回転操作を可能とすることができ、低Ｚ材料で作られた第１の部材と高Ｚ材料で作られた第２の部材を有する筐体を有することができる。ビームラインアッセンブリーは、各真空装置に連結された回転セグメントと静止セグメントを有することができる。回転セグメントと静止セグメントは、空気ギャップによって隔離される。
【００１０】
以下は概要であって、したがって必要に応じて、単純化、一般化及び詳細省略を含み、その結果、当業者は、概要が例示的のみであって、いかなる意味でも制限する意図はないことを理解し得るであろう。本発明の他の態様、発明的特徴、及び、利点は、特許請求の範囲のみによってのみ定義されるように、以下の非限定的な詳細説明において明らかとなるであろう。
【００１１】
本発明の実施形態は、参照文字が同様の要素を指す付帯図面と関連して以下の詳細な説明を読むことで、より良く理解されるであろう。
【図面の簡単な説明】
【００１２】
【図１】従来技術の複数処理ステーションのために陽子ビームを提供する陽子放射線システムを収容する医療設備の構成を示す図である。
【図２】本開示の実施形態の単一室の陽子治療システムを備えた医療設備の構成の例を示す図である。
【図３】本開示の実施形態の偏向／エネルギー選択の磁石のセットを備えたコンパクト放射線システムの機械図表を示す側面図である。
【図４】本開示の実施形態の偏向／エネルギー選択の磁石のセットを備えたコンパクト放射線システムの外部の機械図表を示す３次元図である。
【図５Ａ】本開示の実施形態のサイクロトロンから構台への粒子ビームのビームラインの移送の側面を示す図である。
【図５Ｂ】本開示の実施形態のサイクロトロンから構台への粒子ビームのビームラインの移送の上面を示す図である。
【発明を実施するための形態】
【００１３】
参照は、付随図面において説明される本発明の好適な実施形態に詳細に作成される。本発明が好適な実施形態と連携して説明されると同時に、これらの実施形態に本発明が限定される意図のないことが理解される。反対に、本発明は、付帯する請求項に定義される本発明の精神や範囲に含まれる代替物、部分修正及び均等物をカバーすることを意図している。さらに、本発明の実施形態の以下の詳細な説明において、多くの具体的な詳細は、本発明の完全な理解を提供するために記述される。しかし、これらの具体的な詳細なしで本発明が行われることは、当業者によって認識される。他の例において、知られている方法、手続、コンポーネント及び回路は、詳細に説明されていないが、それは、本発明の実施形態の全貌を不必要に不明瞭にしないためである。方法は、明瞭さのための一連の番号を付けられたステップとして描かれるけれども、番号付けは、必ずしもステップの順番を表していない。ステップのうちのいくつかが省略され、並行して実行され、または連続の厳密な順番を維持する必要なしで実行されることが理解されるべきである。本発明の実施形態を示す図面は、準図表的であり縮尺どおりとされておらず、特に、寸法のうちのいくつかが、プレゼンテーションの明瞭さに向いており、図において強調して示される。同様に、説明の容易さのための図面の描写は、一般に同様の方向を示すけれども、図でのこの表示は大部分任意である。一般的に、本発明はどのような方向においても操作することができる。
【００１４】
表記法と命名法
これは心に残されるべきであり、これら及び類似の用語の全ては、適切な物理量と関連し、これらの量に適用される単に便利なラベルである。以下の議論から明白なように、他に特に述べられない限り、「処理」、「アクセス」、「実行」、「記憶」、「表現」などの用語を利用することによる議論は、コンピュータシステムメモリー、レジスター、または他のこのような情報ストレッジ、トランスミッション、または表示装置内の物理量を同様に表す他のデータへと、コンピュータシステムのレジスター及び他のコンピュータ読み込み可能なメディアの中の物理（電子）量として存在するデータを処理し変換するコンピュータシステムまたは類似の電子計算装置の行動とプロセスを指すことが、本発明を通して理解される。コンポーネントは、いくつかの実施形態に表れたとき、同じ参照数字の使用は、コンポーネントがオリジナルの実施形態に明示された同じコンポーネントであることを意味する。
【００１５】
詳細な説明
図２は、本開示の実施形態に関連した単一室の陽子治療システム２００を備えた医療施設の一例の構成である。コンパクト放射線システム２００は、静止サイクロトロン２０１から隣接の単一処理室２０３に、陽子ビームを供給するようにデザインされている。陽子放射線システム２００は、例えばサイクロトンとして示されている加速器２０１、リニアの軸に沿ってサイクロトロン２０１から粒子ビームを単一処理室２０３に移送する短ビームライン２０２、ビームライン２０２の中に配置されたエネルギー減衰器２０４、操作可能な双極子磁石２０６、２０７の単一セット、そして、種々の角度のノズルを介して陽子ビームを処理ステーションに供給するよう操作可能な旋回構台２０５を含んでいる。単一室構成２００において、サイクロトロンは、実用的にできる限り処理室の近くに配置されることができ、それにより、ビームライン２０４は、粒子ビームを再方向付けるために使われた双極子磁石の必要性を減少させるために、短く、直線にすることができる。システムは、粒子チームの焦点を合わせるためにビームパスに搭載された複数の焦点磁石のセットを有している。
【００１６】
図１のマルチステーションシステムと対比すると、単一室システム２００は、全体の移送システムと同様な簡素化された双極子磁石の配置となっている。特に、構台２０５に設置された双極子磁石２０６、２０７は、ビームライン軸から処理ステーションのアイソセンターに粒子ビームを偏向させることと、エネルギー選択の２つの機能を引き受ける。実施形態に示すように、４５度の双極磁石２０６は、構台の入口ポイントに配置され、下流の１３５度の双極磁石２０７は、ビームライン２０２軸から９０度に粒子ビームを集合的に曲げることができる。同時に、磁石２０６、２０７のコイルの電流が、目標エネルギーレベルに従って精密な電流に制御されるとき、ビーム視準器と組み合わせて磁石２０６、２０７は、エネルギー選択機能を実行するために操作可能である。
【００１７】
構台アセンブリにＥＳＳ磁石を統合することによって、従来のビームラインの専門のセクションより、コストとスペースによるシステム消費は、有利であり顕著に減少でき、システムを単一室デザインに適応するようにし、相対的に小さいクリニックに対し、よりアクセス可能にする。ビームパスに沿ったビームプロフィールのビーム光学シミュレーションは、図２に示す簡素化された磁石システムが、例としてビームサイズや形など、専門のＥＳＳ磁石と偏向磁石を個別に有している従来の対応するマルチ室放射線システムと実質的に同一の臨床仕様の提供を実現可能としていることを証明している。
【００１８】
本開示は、２つの機能の磁石の角度、構成または位置により制限されない。例えば、磁石は、９０度ビームを集合的に曲げることができる３つの９０度磁石を備える。しかし、磁石を再方向付けするために、双極子磁石の最小の数（２）を用いて費用効果及びコンパクトなデザインの目的をすすめる。走査磁石のセットは、粒子ビームのラスタスキャンを制御するために用いられる。ある実施形態において、走査磁石２１１は、２つの機能磁石２０６、２０７のセットの間に配置され得る。示されている実施形態において、走査磁石は、より小さい構台のための別のデザインにさらに寄与するよう、磁石２０７の後及びノズルの近くの下流に、配置され得る。
【００１９】
偏向／エネルギー選択磁石２０６、２０７により生成した磁場は、要求エネルギーのビームの選択と同様に、ビームを誘導するためのソフトウェアプログラムによって制御できる。ソフトウェアプログラムは、いかなる既知のコンピュータ実装方法においても実装できる。他のある実施形態において、偏向磁石は、２つの４５度の双極子磁石を有し、９０度ビームを集合的に曲げることができる。他のある実施形態において、偏向磁石は、１３５度またはいかなる他の角度でもビームを集合的に曲げることができる。偏向磁石のいかなる他の適当な構成も、本開示の実行に用いられる。偏向／エネルギー選択磁石は、個々の特別な処理計画によって表されている特別の粒子エネルギーを達成するためのソフトウェアプログラムによって制御される。
【００２０】
本開示は、エネルギー選択磁石の後で下流に配置される粒子ビームエネルギー選択に適応するいかなるタイプの視準器でも実施することができる。視準器２１２は、エネルギースリット、アパーチャー及び／または２つの磁石２０６、２０７の間に置かれた穴を備える。ある実施形態において、視準器の位置と開口は、制御可能である。ある実施形態において、視準器は、コストとスペースのシステム消費において、より一層の縮小において有利に寄与できるスリムなエネルギー選択スリットなどのコンパクトデザインを特徴とする。
【００２１】
さらにある他の実施形態において、エネルギー選択機能は、エネルギー選択システムの視準器の必要性を有利に取り除くことができる適当な磁気のコンポーネント及び一つ以上のエネルギー減衰器の組み合わせにより仮定されるのみである。例えば、追加の磁石のセットは、エネルギー減衰器から出るビームの空間の断面及び／またはエネルギースペクトラムを狭めるために用いられる。
【００２２】
示された実施形態において、エネルギー減衰器２０４は、ビームライン２０２に定められ、加速器２０１に最も近い真空室の下に配置された炭素くさびを有する。いかなる他の適当なエネルギー減衰器も、本開示を実施するために使用できる。ある他の実施形態において、エネルギー減衰器の素材は、構台で統合されて、そして偏向／エネルギー選択磁石の最も近くに配置される。さらにある他の実施形態において、減衰器は、周囲気圧に晒され、それは、素材、製造と設置などに関連したコストを有利に抑制できる。さらにある他の実施形態では、減衰器は、システムの他の磁場と連携して、その出口ポイントでのビームが、視準器の必要性を取り除く、狭い空間断面及びエネルギースペクトルを有するように構成される。
【００２３】
構台アッセンブリー２０５は、加速器が静止を維持している間に回転可能である。システムには、粒子ビームが、様々な方向にアイソセントリカリー配置された照射ステーションの上に当たるように、構台を回転させる旋回装置が装備される。ある実施形態において、構台は、粒子ビームが完全な円の上でアイソセンターに衝突できるよう、ライン軸と実質的に平行である軸の周りを３６０度旋回できる。
【００２４】
構台は、放射線対象物の上の粒子ビームを放つように操作可能なノズルに連結される。ノズルは、横断走査、例えばＸ−Ｙ走査の目的のための相互に直交な方向に、ビームを逸らす偏向磁石２１１のセットに連結されている。ノズルは、放射線量を監視するための手段と、ビームポジションを監視するための手段に連結されている。ノズル及び焦点磁石は、また構台の中で一体化されている。いくつかの実施形態では、ノズルが、２または３次元でラスタ走査が可能であり、回転可能である。
【００２５】
ある実施形態において、ノズルは、粒子ビームが、典型的な照射体積のサイズより顕著に小さいビーム断面の上にフォーカスされるペンシルビーム走査が可能である。放射線パスに沿った放射線量のピーク堆積は、粒子エネルギーによって決定されたブラッグピーク位置と一致している。適当な焦点が合わせられたペンシルビームは、多くの小体積、いわゆるボクセルに放射されることができ、そして腫瘍の特殊な形に一致した、どのような形の照射体積であっても、ラスタ走査することができる。深さ走査は、例えば、ＥＳＳを通して粒子エネルギーを変えることによって達成できる。
【００２６】
構台は、患者の近くの中性子線量リスクを減少させるシールディングプラグ２１０を備える。ビームラインの周りには、追加シールディングがある。シールディングプラグは、円筒形の球またはいかなる他の適当な構成でもよい。構台は、コスト削減と望まれない中性子線量リスクに対する防護とのバランスのためにハイブリッド部材を備える。ある実施形態において、高Ｚ部材シールド、例えば鉛（Ｐｂ）は、放射線／中性子の放射が流布している構台に沿った場所で使用される。安く軽い部材、炭素などは、例えば、患者に直面しない構台の部分など、いかなる場所でも使用できる。
【００２７】
本開示は、どのような特定のタイプの加速器または関連した粒子源に対しても制限されない。ある実施形態では、加速器は、サイクロトロン、例えば、コンパクトなデザインの超伝導のシンクロサイクロトロンである。ある実施形態では、加速器は、陽子、中性子、電子、またはＨｅ２＋またはＣ６＋粒子などの重イオンを供給する。
【００２８】
図３は、本開示の実施形態に関連する偏向／エネルギー選択磁石３０１、３０２のセットが装備されるコンパクトな放射線システムのメカニカルな図表を示す側面図である。
【００２９】
本開示に関連する単一室放射線システムの実施形態において、構台を導く回転部分及び加速器を導く非回転部分を含む全体のビームラインは、真空の下にある。回転部分及び非回転部分は、バキュームシールを介して接続されている。実施形態に示されるように、ビームは、例えば、小さな空気ギャップ３０３及び２つの薄いカプトン（ポリイミドフィルム）ウィンドウを介して静止から回転部分に移送される。このように各部分は、それ自身で真空装置を有し、その他の部分は独立している。この利点は、回転、メカニカルな真空ジョイントの必要性を取り除くこと及び材料費の減少、ビームパイプのメンテナンス及び少ない真空リークにより、システムをさらに簡素化する。
【００３０】
図２に関連して説明されたコンポーネント以外において、図３はまた、記憶動作部分とＰＶコントロールアルコーブを含む他の関係しているコンポーネントを示し、当業者に理解される。
【００３１】
図４は、本開示の実施形態に関連した偏向／エネルギー選択磁石４０１、４０２のセットを装備したコンパクト放射線システムの外部機械的図表を示している３次元のビューダイアグラムである。
【００３２】
図５Ａと図５Ｂは、本開示の実施形態に関連したサイクロトロンから構台に粒子ビームを移送するビームラインの側面図と平面図を示している。
【００３３】
一定の好適な実施形態と方法はここに開示されたが、発明の精神と範囲を逸脱せずにこのような実施形態及び方法のバリエーションと修正がされることは、前述の開示から当業者に対して明白である。本発明は添付の特許請求の範囲及び適用法の規則と原則によって要求される範囲に限定されることのみを意図している。
【図１】
0006424198.tif 000002
【図２】
0006424198.tif 000003
【図３】
0006424198.tif 000004
【図４】
0006424198.tif 000005
【図５Ａ】
0006424198.tif 000006
【図５Ｂ】
0006424198.tif 000007